(57)【要約】【課題】売買注文情報を入力するための注文入力画面をすばやく表示することができる売買注文入力装置を提供する。【解決手段】売買注文入力装置は、操作者が入力操作を行う入力部１４と、注文入力画面を表示部１６に表示するための注文入力画面データを保持する入力画面データ保持部２１０と、予め定められた入力パターンを示す入力パターン情報を保持する入力パターン保持部２２０と、入力パターン保持部２２０に保持されている入力パターン情報が入力部１４に入力された場合に、入力画面データ保持部２１０から注文入力画面データを読み出して注文入力画面を表示部１６に表示させる処理部２４０とを有する。【選択図】図３
2009026253.tif 000002
【特許請求の範囲】
【請求項１】
有価証券の売買注文を示す売買注文情報を入力するための注文入力画面を表示部に表示し、売買注文情報が示す有価証券の売買注文を当該有価証券の取引市場システムに発注するための処理を行う売買注文処理装置に対して前記注文入力画面に入力された前記売買注文情報を送信する売買注文入力装置において、
操作者が入力操作を行う入力部と、
前記注文入力画面を前記表示部に表示するための注文入力画面データを保持する入力画面データ保持部と、
予め定められた入力パターンを示す入力パターン情報を保持する入力パターン保持部と、
前記入力部への入力操作により入力された情報を取得して前記入力パターン保持部に保持されている前記入力パターン情報が前記入力部に入力されたか判断する処理部であって、前記入力パターン保持部に保持されている前記入力パターン情報が前記入力部に入力された場合に、前記入力画面データ保持部から前記注文入力画面データを読み出して前記注文入力画面を前記表示部に表示させる処理部と
を具備することを特徴とする売買注文入力装置。
【請求項２】
前記有価証券の売買注文を示す売買注文情報は、前記有価証券の銘柄を特定する銘柄特定情報を含み、
前記注文入力画面は、前記銘柄特定情報を入力するための銘柄特定情報入力欄を有し、
前記入力パターン情報は、前記有価証券の銘柄を特定する銘柄特定情報であり、
前記処理部は、前記入力パターン情報として入力された前記銘柄特定情報が前記銘柄特定情報入力欄に入力された状態の前記注文入力画面を前記表示部に表示させる
ことを特徴とする請求項１に記載の売買注文入力装置。
【請求項３】
発注前の前記売買注文情報である発注前注文情報を保持する発注前データ保持部を更に具備し、
前記売買注文を示す前記売買注文情報は、前記売買注文の売買区分を示す売買区分情報と前記売買注文の注文数量を更に有し、
前記注文入力画面は、前記売買区分情報が入力される売買区分情報入力欄、及び前記注文数量が入力される注文数量入力欄を有し、
前記有価証券の銘柄を特定する銘柄特定情報は、前記有価証券の銘柄コードであり、
前記処理部は、前記入力パターン情報として入力された前記銘柄コードを含む前記発注前注文情報が前記発注前データ保持部に保持されていた場合に、当該発注前注文情報の前記売買区分情報が前記売買区分情報入力欄に入力され、当該発注前注文情報の前記注文数量が前記注文数量入力欄に入力された状態の前記注文入力画面を前記表示部に表示させる
ことを特徴とする請求項２に記載の売買注文入力装置。
【請求項４】
前記売買注文入力装置は、通信回線を通じて提供される文字情報を受信する端末装置であり、受信した前記文字情報を前記表示部に表示させるブラウザ部を更に具備し、
前記有価証券の売買注文を示す売買注文情報は、前記有価証券の銘柄を特定する銘柄特定情報を含み、
前記注文入力画面は、前記銘柄特定情報が入力される銘柄特定情報入力欄を有し、
前記入力パターン情報は、前記有価証券の銘柄を特定する銘柄特定情報であり、
前記処理部は、前記ブラウザ部により前記表示部に表示された前記銘柄特定情報を含む前記文字情報から前記銘柄特定情報が前記入力部によって選択されることにより入力された場合に、選択された前記銘柄特定情報が前記銘柄特定情報入力欄に入力された状態の前記注文入力画面を前記表示部に表示させる
ことを特徴とする請求項１に記載の売買注文入力装置。
【請求項５】
前記売買注文入力装置は、インターネットを通じて配信される文字情報を受信する端末装置であり、受信した前記文字情報を前記表示部に表示させ、かつインターネット上のアドレスが入力されるアドレス入力欄を前記表示部に表示させるブラウザ部を更に具備し、
前記入力パターン情報は、有価証券の売買注文を示す売買注文情報であり、
前記処理部は、前記ブラウザ部により前記表示部に表示された前記アドレス入力欄に前記売買注文情報が前記入力部を通じて入力された場合に、前記アドレス入力欄に入力された前記売買注文情報が入力された状態の前記注文入力画面を前記表示部に表示させる
ことを特徴とする請求項１に記載の売買注文入力装置。
【請求項６】
前記有価証券の売買注文を示す売買注文情報は、前記有価証券の銘柄を特定する銘柄特定情報、前記売買注文の売買区分を示す売買区分情報、並びに前記売買注文の注文数量及び注文単価を有し、
前記有価証券の銘柄を特定する銘柄特定情報は、前記有価証券の銘柄コードであり、
前記処理部は、前記銘柄コード、前記売買区分情報及び前記注文数量が、予め定められた順序で前記アドレス入力欄に入力された場合に、前記注文入力画面を前記表示部に表示させる
ことを特徴とする請求項５に記載の売買注文入力装置。
【請求項７】
コンピュータを、請求項１〜６のいずれか一項に記載の売買注文入力装置として機能させるためのプログラム。
【発明の詳細な説明】
【技術分野】
【０００１】
本発明は、有価証券の売買注文が入力される売買注文入力装置及びプログラムに関する。
【背景技術】
【０００２】
投資家が自己の端末を用いて株式などの有価証券の売買注文を発注する場合、投資家は、まず自己の端末からインターネットを通じて証券会社の売買注文処理装置にアクセスし、自己の端末に売買注文情報を入力するための注文入力画面を表示させる。このとき、注文入力画面を表示するための画面データは、売買注文処理装置から送信される。そして投資家は、表示された注文入力画面に売買注文情報を入力し、入力した売買注文情報を証券会社の売買注文処理装置に送信する。証券会社の売買注文処理装置は、投資家の端末から受信した売買注文情報を証券取引所の売買システムに送信することにより売買注文を有価証券の取引市場システムに発注する（例えば、非特許文献１参照）。
【０００３】
なお、マウス等のポインティング・デバイスを用いて、手書き文字をオンラインで入力できる手書き文字入力装置が知られている（特許文献１参照）。また、ポインティング・デバイスで入力された軌跡が右回りか左回りかその他の種類かを判定する情報処理装置が知られている（特許文献２参照）。
【０００４】
【特許文献１】特許第２７３９０３６号公報
【特許文献２】特許第３５８５３５７号公報
【非特許文献１】大和証券株式会社、オンライントレードデモ画面、[online]、［平成１９年７月１７日検索］、インターネット＜ＵＲＬ：http://www.daiwa.jp/ja/olt_demo/index.html＞
【発明の開示】
【発明が解決しようとする課題】
【０００５】
個人投資家が有価証券の売買注文を場中に行う場合、並行してインターネット上で情報を取得する場合が多々ある。インターネット上で売買の動機となる情報（例えばニュース速報など）を見つけた場合、上記した従来の方法では、まず証券会社の売買注文処理装置にアクセスし、自分の端末に売買注文情報を入力するための注文入力画面を表示させる必要があった。このため、株式売買のきっかけとなる情報を見つけてから売買注文情報を売買注文処理装置に送信するまでに、売買注文処理装置にアクセスして注文入力画面を表示させるための操作を行うこととなり、時間的なロスが発生していた。
【０００６】
本発明は上記のような事情を考慮してなされたものであり、その目的は、売買注文情報を入力するための注文入力画面をすばやく表示することができる売買注文入力装置及びプログラムを提供することにある。
【課題を解決するための手段】
【０００７】
本発明の第１の形態は、有価証券の売買注文を示す売買注文情報を入力するための注文入力画面を表示部に表示し、売買注文情報が示す有価証券の売買注文を当該有価証券の取引市場システムに発注するための処理を行う売買注文処理装置に対して前記注文入力画面に入力された前記売買注文情報を送信する売買注文入力装置であって、
操作者が入力操作を行う入力部と、前記注文入力画面を前記表示部に表示するための注文入力画面データを保持する入力画面データ保持部と、予め定められた入力パターンを示す入力パターン情報を保持する入力パターン保持部と、前記入力部への入力操作により入力された情報を取得して前記入力パターン保持部に保持されている前記入力パターン情報が前記入力部に入力されたか判断する処理部であって、前記入力パターン保持部に保持されている前記入力パターン情報が前記入力部に入力された場合に、前記入力画面データ保持部から前記注文入力画面データを読み出して前記注文入力画面を前記表示部に表示させる処理部とを具備することを特徴とする売買注文入力装置である。
【０００８】
本発明の第１の形態に関して、前記有価証券の売買注文を示す売買注文情報は、前記有価証券の銘柄を特定する銘柄特定情報を含み、前記注文入力画面は、前記銘柄特定情報を入力するための銘柄特定情報入力欄を有し、前記入力パターン情報は、前記有価証券の銘柄を特定する銘柄特定情報であり、前記処理部は、前記入力パターン情報として入力された前記銘柄特定情報が前記銘柄特定情報入力欄に入力された状態の前記注文入力画面を前記表示部に表示させる構成としてもよい。
発注前の前記売買注文情報である発注前注文情報を保持する発注前データ保持部を更に具備し、前記売買注文を示す前記売買注文情報は、前記売買注文の売買区分を示す売買区分情報と前記売買注文の注文数量を更に有し、前記注文入力画面は、前記売買区分情報が入力される売買区分情報入力欄、及び前記注文数量が入力される注文数量入力欄を有し、前記有価証券の銘柄を特定する銘柄特定情報は、前記有価証券の銘柄コードであり、前記処理部は、前記入力パターン情報として入力された前記銘柄コードを含む前記発注前注文情報が前記発注前データ保持部に保持されていた場合に、当該発注前注文情報の前記売買区分情報が前記売買区分情報入力欄に入力され、当該発注前注文情報の前記注文数量が前記注文数量入力欄に入力された状態の前記注文入力画面を前記表示部に表示させる構成としてもよい。
【０００９】
本発明の第１の形態に関して、前記売買注文入力装置は、通信回線を通じて提供される文字情報を受信する端末装置であり、受信した前記文字情報を前記表示部に表示させるブラウザ部を更に具備し、前記有価証券の売買注文を示す売買注文情報は、前記有価証券の銘柄を特定する銘柄特定情報を含み、前記注文入力画面は、前記銘柄特定情報が入力される銘柄特定情報入力欄を有し、前記入力パターン情報は、前記有価証券の銘柄を特定する銘柄特定情報であり、前記処理部は、前記ブラウザ部により前記表示部に表示された前記銘柄特定情報を含む前記文字情報から前記銘柄特定情報が前記入力部によって選択されることにより入力された場合に、選択された前記銘柄特定情報が前記銘柄特定情報入力欄に入力された状態の前記注文入力画面を前記表示部に表示させる構成としてもよい。
【００１０】
本発明の第１の形態に関して、前記売買注文入力装置は、インターネットを通じて配信される文字情報を受信する端末装置であり、受信した前記文字情報を前記表示部に表示させ、かつインターネット上のアドレスが入力されるアドレス入力欄を前記表示部に表示させるブラウザ部を更に具備し、前記入力パターン情報は、有価証券の売買注文を示す売買注文情報であり、前記処理部は、前記ブラウザ部により前記表示部に表示された前記アドレス入力欄に前記売買注文情報が前記入力部を通じて入力された場合に、前記アドレス入力欄に入力された前記売買注文情報が入力された状態の前記注文入力画面を前記表示部に表示させる構成としてもよい。
前記有価証券の売買注文を示す売買注文情報は、前記有価証券の銘柄を特定する銘柄特定情報、前記売買注文の売買区分を示す売買区分情報、並びに前記売買注文の注文数量及び注文単価を有し、前記有価証券の銘柄を特定する銘柄特定情報は、前記有価証券の銘柄コードであり、前記処理部は、前記銘柄コード、前記売買区分情報及び前記注文数量が、予め定められた順序で前記アドレス入力欄に入力された場合に、前記注文入力画面を前記表示部に表示させる構成としてもよい。
【００１１】
本発明の第２の形態は、コンピュータを、上記本発明の第１の形態の売買注文入力装置として機能させるためのプログラムである。
【発明の効果】
【００１２】
本発明によれば、注文入力画面を表示するための注文入力画面データを入力画面データ保持部に予め保持し、入力部に対して予め定められた入力パターンが入力された場合に、処理部は注文入力画面データを読み出して表示部に注文入力画面を表示させるので、注文入力画面をすばやく表示することができる。
【発明を実施するための最良の形態】
【００１３】
以下、本発明の実施形態について図面を参照して説明する。図１は、本発明の一実施形態に係る売買注文入力装置１０の使用環境を説明するための概略図である。売買注文入力装置１０は、インターネット等の通信回線１を通じて売買注文処理装置２０に接続することができるようになっている。売買注文処理装置２０は、例えば証券会社などの金融機関に設置され、サーバとしての機能を備えている。売買注文処理装置２０は、株式等の有価証券の売買取引処理を行う取引市場システムである売買システム３０に通信回線を通じて接続されており、この通信回線は専用回線又は専用線としてもよい。また、売買注文入力装置１０は、インターネット等の通信回線１を通じてサーバ２２に接続することができるようになっており、サーバ２２は、売買注文入力装置１０にニュース等の情報を送信することができるようになっている。
【００１４】
売買注文入力装置１０は個人投資家が操作する端末であり、この端末の操作者である個人投資家は上記金融機関の顧客であり、通信回線１には複数の売買注文入力装置１０が接続されている。売買注文入力装置１０は、キーボード１２、マウス等のポインティングデバイス１４、及び表示部であるディスプレイ１６を有している。売買注文入力装置１０がサーバ２２にアクセスした場合、ディスプレイ１６は、サーバ２２から送信された情報（例えばニュース等の配信情報）を表示する。また売買注文入力装置１０が売買注文処理装置２０にアクセスした場合、ディスプレイ１６は、有価証券（例えば株式、債券、又は上場投信）の売買注文データを入力するための画面である注文入力画面を表示する。売買注文データ（売買注文情報）には、注文銘柄の銘柄コード、売買区分、注文数量、注文単価、及び注文の有効期間が含まれる。売買注文入力装置１０は、注文入力画面に入力された売買注文データを、投資家を識別するための識別情報である顧客ＩＤとともに売買注文処理装置２０に送信し、このとき売買注文データを投資家の識別情報である顧客ＩＤに対応付けて売買注文処理装置２０に送信するようにしてもよい。売買注文処理装置２０は、受信した売買注文データを用いた発注処理を行い、一例として銘柄コード、売買区分、注文数量、注文単価等を含む売買注文データを取引市場の売買システム３０に送信する。
【００１５】
売買注文入力装置１０は、注文入力画面を表示するための注文入力画面データを予め保持している。そして、キーボード１２又はポインティングデバイス１４に対して予め定められた操作が行われた場合、すなわち売買注文入力装置１０に予め定められた入力が行われた場合、売買注文入力装置１０は注文入力画面データを読み出し、ディスプレイ１６に注文入力画面を表示させるようになっており、これにより、売買注文入力装置１０は、注文入力画面をすばやく表示することができ、投資家が売買注文を出すのに要する時間を減らすことができるようになっている。
【００１６】
図２は、売買注文入力装置１０のソフトウェア上の構成を説明するためのブロック図である。売買注文入力装置１０は、オペレーティングシステム（ＯＳ）１００、キーボードドライバ１１２、ポインティングデバイスドライバ１１４、ディスプレイドライバ１１６、売買注文処理部２００、及びブラウザ３００を有する。オペレーティングシステム１００は、ディスプレイ１６においてブラウザ３００がどの領域を占めているかを示す座標情報を、ブラウザ領域情報保持部１０２に有している。売買注文処理部２００は、有価証券の売買注文に関する処理を行うための機能を有している。売買注文入力装置１０の操作者がキーボード１２もしくはポインティングデバイス１４を介して売買注文入力装置１０に入力した情報は、キーボードドライバ１１２もしくはポインティングデバイスドライバ１１４、並びにオペレーティングシステム１００を介して売買注文処理部２００及びブラウザ３００に渡され、又はキーボードドライバ１１２もしくはポインティングデバイスドライバ１１４、並びにオペレーティングシステム１００及びブラウザ３００を介して売買注文処理部２００に渡される。ブラウザ３００はオペレーティングシステム１００に接続されており、売買注文処理部２００はオペレーティングシステム１００とブラウザ３００に接続されており、ブラウザ３００が処理する情報のすべてをチェックすることができるようになっている。また、売買注文処理部２００は、キーボード１２及びポインティングデバイス１４の入力情報を受け取り、キーボード１２及びポインティングデバイス１４に対して行われた操作のすべてをチェックすることができるようになっている。
【００１７】
図３は、売買注文処理部２００の機能ブロック図である。売買注文処理部２００は、入力画面データ保持部２１０、入力パターン保持部２２０、発注前データ保持部２３０、及び処理部（データ処理部）２４０を有している。入力画面データ保持部２１０は、注文入力画面データを保持している。
【００１８】
入力パターン保持部２２０は、注文入力画面を表示するために必要な入力パターンを示す画面表示用入力パターンデータを保持する。入力パターン保持部２２０は、画面表示用入力パターンデータを書換え可能な状態で保持しており、画面表示用入力パターンは売買注文入力装置１０の操作者が自ら定めるパターンであり、売買注文入力装置１０の操作者は、入力パターン保持部２２０が保持する画面表示用入力パターンデータをキーボード１２又はポインティングデバイス１４を通じて設定及び更新することができるようになっている。
【００１９】
発注前データ保持部２３０は、操作者が予め発注前の売買注文データを登録しておくために用いられ、発注前の売買注文データを保持している。売買注文入力装置１０の操作者は、この売買注文データをキーボード１２又はポインティングデバイス１４を通じて設定及び更新することができるようになっており、操作者が予め発注前の売買注文データを登録しておき、この売買注文データを使用することにより、操作者が発注時に注文入力画面への売買注文データの入力を不要とすることができるようになっている。
【００２０】
処理部２４０は、注文入力画面データに基づいてブラウザ３００に注文入力画面を表示させるための処理、売買注文データを売買注文処理装置２０に送信するための処理等を行う。処理部２４０が行う処理の詳細については、フローチャートを用いて後述する。
【００２１】
図４は、ディスプレイ１６に表示された注文入力画面の一例を示す図である。図４に示す例において、注文入力画面はブラウザ（ブラウザの表示領域）３００に表示されている。注文入力画面は、銘柄識別情報の一例である銘柄コードが入力されるコード入力欄２１１、売買区分が入力される売買区分入力欄２１２、注文数量が入力される注文数量入力欄２１３、注文単価又は成行き注文を示す情報が入力される注文単価入力欄２１４、注文有効期限が入力される注文有効期限入力欄２１５、及び注文確認画面を表示させるための注文確認ボタン２１６を有している。なお、図４に示す例において、コード入力欄２１１に隣接して、銘柄名の少なくとも一部を入力させる銘柄名入力欄を表示させてもよい。この場合、注文確認ボタン２１６がクリック操作等により押された後に、銘柄名入力欄に入力されたデータに対応する銘柄コードが検索され、検索された銘柄コードが注文確認画面に表示されるようにしてもよく、この検索は売買注文処理装置２０によって行われるようにしてもよい。
【００２２】
図５は、発注前データ保持部２３０が保持するデータの構成の一例をテーブル形式で示して説明するための説明図である。発注前データ保持部２３０は、発注前の売買注文データを保持しており、銘柄名、銘柄コード、売買区分、注文数量、注文単価（注文値段）、及び注文有効期限を示す情報を、互いに対応付けて保持している。発注前データ保持部２３０は、一例として銘柄コード「１０００」に対応付けて、当該銘柄の銘柄名「○○株式会社」、売買区分「買」、注文数量「２０００」株、注文単価「１１００」円、注文有効期限「当日中（当日限り）」を保持している。また発注前データ保持部２３０は、銘柄コードのみを保持している場合もある。例えば発注前データ保持部２３０は、銘柄コード「５０００」に対応付けて当該銘柄の銘柄名「××株式会社」を保持しているが、売買区分、注文数量、注文単価、及び注文有効期限を保持していない。発注前データ保持部２３０は、例えばリレーショナル・データベース（ＲＤＢ）を用いて構成してもよく、一例として、銘柄名を格納するための銘柄名フィールド、銘柄コードを格納するための銘柄コードフィールド、売買区分を格納するための売買区分フィールド、注文数量を格納するための注文数量フィールド、注文単価を格納するための注文単価フィールド、及び注文有効期限を示す情報を格納するための注文有効期限フィールドをレコード毎に設けて、同一レコードに格納されたこれらの情報を互いに対応付けるようにしてもよい。
【００２３】
図６は、有価証券の売買注文を発注する際に、売買注文入力装置１０及び売買注文処理装置２０が行う処理動作の第１の例を説明するためのフローチャートである。まず売買注文入力装置１０のブラウザ３００は、操作者が入力する情報に従い、売買注文処理装置２０にログイン画面データを要求する（Ｓ２）。売買注文処理装置２０は、要求にしたがってログイン画面データを売買注文入力装置１０に送信する（Ｓ４）。売買注文入力装置１０のブラウザ３００は、受信したログイン画面データを用いてログイン画面を表示する。そして操作者がログインデータとしての顧客ＩＤ及びパスワードを入力すると（Ｓ６）、売買注文入力装置１０のブラウザ３００は、入力されたログインデータを売買注文処理装置２０に送信する（Ｓ８）。なお、ブラウザ３００は入力された顧客ＩＤを保持し、売買注文処理装置２０へデータが送信される場合に当該送信データに顧客ＩＤを自動的に含めるようにしてもよい。
【００２４】
売買注文処理装置２０は、ログインデータを認証すると（Ｓ１０：Ｙｅｓ）、売買注文処理部２００を起動させるための起動データを送信する（Ｓ１２）。売買注文入力装置１０のオペレーティングシステム１００は起動データを受信すると、売買注文処理部２００を起動させ（Ｓ１４）、インターネット上のデータを表示する（Ｓ１６）。
【００２５】
なお、一例としてＳ１２の処理において、売買注文処理装置２０は、売買注文処理部２００として機能するソフトウェアを売買注文入力装置１０に送信してもよい。この場合に売買注文入力装置１０は、図２に示した売買注文処理部２００を予め有しておらず、売買注文処理装置２０に認証された後に、売買注文処理部２００を有することになる。一例としてＳ１２の処理において、入力画面データを含む起動データを売買注文入力装置１０に送信し、売買注文入力装置１０の売買注文処理部２００は起動データにより起動すると当該起動データに含まれる入力画面データを入力画面データ保持部２１０に記憶して保持するとともに注文入力画面を直ちに表示させる第１の表示ボタンと所定の操作により注文入力画面を表示させる第２の表示ボタンをディスプレイ１６に表示し、操作者がキーボード１２又はポインティングデバイス１４で第２の表示ボタンをクリック等して押した場合にＳ１６の処理に進み、第１の表示ボタンをクリック等して押した場合にＳ２０の処理に進むようにしてもよい。
【００２６】
その後、売買注文処理部２００の処理部２４０は、キーボード１２又はポインティングデバイス１４に対して行われた操作による入力情報をすべてチェックし、入力パターン保持部２２０が保持している画面表示用入力パターンデータ又は画面表示用入力パターンデータに相当する入力パターンがあるか否かの判断を繰り返し（Ｓ１８）、入力パターン保持部２２０に保持されている入力パターンデータが入力されたか判断する。
【００２７】
また売買注文入力装置１０のブラウザ３００は、売買注文入力装置１０の操作者が入力する情報に従って、サーバ２２に情報の送信を要求し、要求に応じて送信されてきた情報をディスプレイ１６に表示する。売買注文入力装置１０の操作者は、ブラウザ３００が表示していた情報に、有価証券の売買の動機付けとなる情報が含まれていると、キーボード１２又はポインティングデバイス１４に対して所定の操作（すなわち所定の入力）を行う（Ｓ１８：Ｙｅｓ）。すると売買注文処理部２００の処理部２４０は、入力画面データ保持部２１０から入力画面データを読み出し、ブラウザ３００に注文入力画面を表示させる（Ｓ２０）。ここで表示される注文入力画面は、例えば図４に示す注文入力画面としてもよい。
【００２８】
そして操作者は、キーボード１２又はポインティングデバイス１４を操作して、注文入力画面に売買注文データを入力し（Ｓ２２）、確認ボタンをクリック操作等により押す。確認ボタンの操作を示す情報は売買注文処理部２００の処理部２４０に送られ、確認ボタンの操作に基づき、処理部２４０は売買注文データ及び顧客ＩＤを売買注文処理装置２０に送信する（Ｓ２４）。売買注文データ及び顧客ＩＤを受けた売買注文処理装置２０は、売買注文の内容を確認するための確認画面データを生成し、生成した確認画面データを売買注文入力装置１０に送信する（Ｓ２６）。売買注文入力装置１０の売買注文処理部２００の処理部２４０は、確認画面データをブラウザ３００に受け渡して確認画面を表示させる（Ｓ２８）。確認画面には、例えば操作者が注文内容を確認した場合に押される確認済ボタンが含まれる。操作者がキーボード１２又はポインティングデバイス１４を操作して、この確認済ボタンを操作等して押すと、確認済ボタンの操作を示す情報が売買注文処理部２００の処理部２４０に送られ、確認済ボタンの操作に基づき、処理部２４０は売買注文データを確認した旨を示す確認済データと顧客ＩＤを売買注文処理装置２０に送信する（Ｓ３０）。売買注文処理装置２０は、確認済データと顧客ＩＤを受信すると、売買注文データの発注処理を行い、売買注文データを売買システム３０に送信する（Ｓ３２）。
一例として、売買注文データ及び顧客ＩＤを受けた売買注文処理装置２０は、売買注文データ及び顧客ＩＤを対応付けて記憶手段に記憶し、売買注文データが示す売買注文の内容を確認するための確認画面データを生成し、生成した確認画面データを売買注文入力装置１０に送信する（Ｓ２６）。売買注文入力装置１０の売買注文処理部２００の処理部２４０は、確認画面データをブラウザ３００に受け渡して確認画面を表示させ（Ｓ２８）、操作者がキーボード１２又はポインティングデバイス１４を操作して確認済ボタンを押すと、売買注文処理部２００の処理部２４０は、売買注文データを確認した旨を示す確認済データと顧客ＩＤを売買注文処理装置２０に送信する（Ｓ３０）。売買注文処理装置２０は、確認済データと顧客ＩＤを受信すると、顧客ＩＤに対応付けて記憶手段に記憶されている売買注文データの注文が有効期間内で有効となるように発注処理を行い、銘柄コード、売買区分、注文数量、注文単価等を含む売買注文データを売買システム３０に送信する（Ｓ３２）ようにしてもよい。
【００２９】
図７は、図６のフローチャートのＳ１８で行われる所定の入力の例を説明するための説明図である。図７に示す例は、ポインティングデバイス１４を右クリック又は左クリックしながら動かしてポインタ１４ａで所定の軌跡を描かせるものであり、この場合は所定の軌跡又は当該軌跡を示す情報を入力パターンデータとしてもよい。所定の軌跡は、例えば丸（まる）を２回描くような軌跡としているが、ジグザグを描くような軌跡としてもよく、他の軌跡としてもよい。この軌跡は、例えばブラウザ３００が表示している領域内で行われることを条件としてもよい。上記したように、オペレーティングシステム１００は、ディスプレイ１６においてブラウザ３００がどの領域を占めているかを示す座標情報を、ブラウザ領域情報保持部１０２に有している。この座標情報は、例えばブラウザ３００の４隅それぞれの座標を示しており、上記した軌跡が、これら４隅の座標で囲まれる領域内からはみ出さないことを条件として、売買注文処理部２００の処理部２４０は、ブラウザ３００に注文入力画面を表示させるようにしてもよい。
【００３０】
図８は、有価証券の売買注文を発注する際に、売買注文入力装置１０及び売買注文処理装置２０が行う処理動作の第２の例を説明するためのフローチャートである。図９（Ａ）は、図８に示す例において注文入力画面を表示させるための所定の入力を説明するための図であり、図９（Ｂ）は、図８に示す例においてディスプレイ１６に表示される注文入力画面を説明するための図である。図８に示す処理動作は、Ｓ２〜Ｓ１６に示す処理動作、及びＳ２２〜Ｓ３２に示す処理動作が、図６を用いて説明した第１の例と同様であり、以下では第１の例と同様の処理動作については説明を適宜省略する。
【００３１】
売買注文入力装置１０の操作者は、ブラウザ３００が表示していた情報に、有価証券の売買の動機付けとなる情報が含まれていると、ポインティングデバイス１４をクリックしながら動かして、４桁の数値をディスプレイ１６上のポインタ１４ａで描く（Ｓ４０：Ｙｅｓ、及び図９（Ａ））。この場合は４桁の数字又はそれを描く軌跡を入力パターンデータとしてもよい。売買注文処理部２００の処理部２４０は、描かれた４桁を銘柄コードであると判断し、当該認識した銘柄コードに対応する発注前の売買注文データが発注前データ保持部２３０に保持されているか否かを判断する（Ｓ４２）。保持されていた場合（Ｓ４２：Ｙｅｓ）、処理部２４０は、対応する発注前の売買注文データを発注前データ保持部２３０から読み出す（Ｓ４４）。そして処理部２４０は、入力画面データ保持部２１０から入力画面データを読み出し、Ｓ４４で読み出した売買注文データが入力された状態の注文入力画面を表示するための入力画面データを生成して当該注文入力画面をブラウザ３００に表示させる（Ｓ２０）。操作者は、注文入力画面に表示された売買注文データの内容を確認して注文確認ボタン２１６をクリック等して押し、注文内容を修正する場合は注文入力画面に表示された売買注文データを修正する入力を行って注文確認ボタン２１６をクリック等して押す。
【００３２】
例えば図９（Ａ）に示すように、４桁の数値として「１０００」がポインタ１４ａで描かれると、処理部２４０は、銘柄コード「１０００」をキーとして発注前データ保持部２３０から、売買区分「買」、注文数量「２０００」株、注文単価「１１００」円、注文有効期限「当日中」を読み出す。そして図９（Ｂ）に示すように、コード入力欄２１１に「１０００」、売買区分入力欄２１２に「買」、注文数量入力欄２１３に「２０００」、及び注文単価入力欄２１４に指値「１１００」、注文有効期限入力欄２１５に「当日限り」が予め入力された状態の注文入力画面を表示させる。この図９（Ｂ）の注文入力画面に示す状態において、各欄は上書き可能となっている。
【００３３】
なお、図５の例に示すように、発注前データ保持部２３０が売買注文データとして銘柄コード（例えば「５０００」）のみを保持していた場合、コード入力欄２１１に銘柄コードが予め入力され、かつ他の欄には何も入力されていない状態で、注文入力画面をブラウザ３００に表示させるようになっている。
【００３４】
図８に戻る。また認識した銘柄コードに対応する発注前の売買注文データが発注前データ保持部２３０に保持されていない場合（Ｓ４２：Ｎｏ）、処理部２４０は、入力画面データ保持部２１０から入力画面データを読み出し、認識した銘柄コードがコード入力欄２１１に入力された状態の注文入力画面をブラウザ３００に表示させる（Ｓ２０）。
【００３５】
次に、図１０を参照して、有価証券の売買注文を発注する際に売買注文入力装置１０及び売買注文処理装置２０が行う処理動作の第３の例を説明する。本例は、図１０（Ａ）に示すように、注文入力画面を表示させるための所定の入力（図６のＳ１８）が、ブラウザ３００のアドレス入力欄３００ａに入力された売買注文データである点、及び図１０（Ｂ）に示すように、売買注文処理部２００の処理部２４０が、アドレス入力欄３００ａに入力された売買注文データが予め入力された状態で注文入力画面を表示させる（図６のＳ２０）点を除いて、図６のフローチャートに示した第１の例と同様である。
【００３６】
ブラウザ３００のアドレス入力欄３００ａは、本来、インターネット上のアドレスが入力される欄である。そこで図１０に示す例において、売買注文処理部２００の処理部２４０は、ブラウザ３００のアドレス入力欄３００ａに入力された情報をすべてチェックする。そして、入力された情報及び順序が、売買注文データを構成するデータの種類（文字列であるか数値であるか）及び順序に一致する場合、アドレス入力欄３００ａに売買注文データが入力されたと判断する。処理部２４０は、例えば、４桁の第１の数値、「買」又は「売」、第２の数値、第３の数値、並びに「当日中」又は「○日間」という順序でアドレス入力欄３００ａに入力が行われた場合、アドレス入力欄３００ａに売買注文データが入力されたと判断し、一例として第１の半角数字「０〜９」、文字「買」及び「売」、第２の半角数字「０〜９」、第３の半角数字「０〜９」、文字「当日中」及び「日間」の判断用又は定型の売買注文データを入力パターンデータとしてもよく、第１の半角数字「０〜９」を用いてアドレス入力欄３００ａに４桁の第１の数値からなる銘柄コードが入力されたか判断し、文字「買」及び「売」を用いてアドレス入力欄３００ａに売買区分が入力されたか判断し、第２の半角数字「０〜９」を用いてアドレス入力欄３００ａに第２の数値からなる注文数量が入力されたか判断し、第３の半角数字「０〜９」を用いてアドレス入力欄３００ａに第３の数値からなる注文単価が入力されたか判断し、文字「当日中」及び「日間」を用いてアドレス入力欄３００ａに注文有効期限が入力されたか判断するようにしてもよい。
【００３７】
一例として、図１０（Ａ）に示すように、「１０００  買  １０００  １０００  当日中」とアドレス入力欄３００ａに入力された場合、処理部２４０は、銘柄コード「１０００」の有価証券の「買」注文であって、注文数量は「１０００」株、注文単価は指値「１０００」円、注文有効期間は「当日中」であると認識する。そして、図１０（Ｂ）に示すように、コード入力欄２１１に「１０００」、売買区分入力欄２１２に「買」、注文数量入力欄２１３に「１０００」、注文単価入力欄２１４に「１０００」、及び有効期限入力欄２１５に「当日中」が入力された状態の注文入力画面を表示させる。
【００３８】
次に、図１１を参照して、売買注文入力装置１０及び売買注文処理装置２０が行う処理動作の第４の例を説明する。本例は、図１１（Ａ）に示すように、サーバ２２から送信された情報（例えばニュース）でありブラウザ３００に表示された文字列３００ｂから、銘柄コードをポインティングデバイス１４とそのポインタ１４ａを用いて反転表示等して選択することが、注文入力画面を表示させるための所定の入力（図６のＳ１８）である点、及び図１０（Ｂ）に示すように、売買注文処理部２００の処理部２４０が、選択された銘柄コードがコード入力欄２１１に予め入力された状態で注文入力画面を表示させる（図６のＳ２０）点を除いて、図６のフローチャートに示した第１の例と同様であり、第４の例では銘柄コードを入力パターンデータとして用いてもよい。
【００３９】
なお、第４の例において、ブラウザ３００に表示された文字列３００ｂから銘柄コード以外の文字列（例えば売買注文処理部２００に予め登録してあった銘柄名）をポインティングデバイス１４とそのポインタ１４ａを用いて反転表示等して選択することが、注文入力画面を表示させるための所定の入力（図６のＳ１８）であってもよい。この場合、図６のＳ２０において表示される注文入力画面には、いずれの欄にもデータは予め入力されないようにしてもよく、銘柄名を入力パターンデータとして用いてもよい。
【００４０】
また第４の例において、サーバ２２の識別情報（例えばＵＲＬ）を売買注文処理部２００に予め登録しておき、識別情報が登録してあるサーバ２２から送信された文字列から銘柄コード等の文字列を選択した場合のみ、注文入力画面が表示されるようにしてもよい。
【００４１】
なお、上記した売買注文入力装置１０は、上記の入力画面データ保持部２１０、入力パターン保持部２２０、発注前データ保持部２３０、及び処理部２４０として機能させるためのプログラムをコンピュータにインストールすることにより、各機能を実現する構成としてもよい。このプログラムは、例えば、記録媒体を介してコンピュータにインストールしてもよく、プログラムを格納する記録媒体は、例えばフレキシブルディスク、ＣＤ−ＲＯＭ、ＣＤ−Ｒ、ＣＤ−Ｒ／Ｗ、ＤＶＤ−ＲＡＭ、ＭＯ、及び半導体メモリ等のリムーバブルディスク、若しくはハードディスクを用いてもよく、これら以外であってもよい。また、このプログラムは、上記したように、インターネット等の通信回線を介してダウンロードされることにより、コンピュータにインストールされてもよい。
【００４２】
以上、本発明の実施形態によれば、売買注文入力装置１０は、注文入力画面を表示するための注文入力画面データを予め保持している。そして、キーボード１２又はポインティングデバイス１４に対して予め定められた操作が行われた場合、すなわち予め定められた入力が行われた場合、売買注文入力装置１０は注文入力画面データを読み出し、ディスプレイ１６に注文入力画面を表示させる。従って、売買注文入力装置１０は、注文入力画面をすばやく表示することができる。
【００４３】
なお、本発明は上述した実施形態に限定されるものではなく、本発明の主旨を逸脱しない範囲内で種々変更して実施することが可能である。
【図面の簡単な説明】
【００４４】
【図１】本発明の一実施形態に係る売買注文入力装置１０の使用環境を説明するための概略図。
【図２】売買注文入力装置１０のソフトウェア上の構成例を説明するためのブロック図。
【図３】売買注文処理部２００の機能ブロックの一例を示すブロック図。
【図４】ディスプレイ１６に表示された注文入力画面の一例を示す図。
【図５】発注前データ保持部２３０が保持するデータの構成の一例をテーブル形式で示す説明図。
【図６】有価証券の売買注文を発注する際に、売買注文入力装置１０及び売買注文処理装置２０が行う処理動作の第１の例を説明するためのフローチャート。
【図７】図６のフローチャートのＳ１８で行われる所定の入力の例を説明するための説明図。
【図８】有価証券の売買注文を発注する際に、売買注文入力装置１０及び売買注文処理装置２０が行う処理動作の第２の例を説明するためのフローチャート。
【図９】図９（Ａ）は図８に示す例において注文入力画面を表示させるための所定の入力を説明するための図、図９（Ｂ）は図８に示す例においてディスプレイ１６に表示される注文入力画面を説明するための図。
【図１０】有価証券の売買注文を発注する際に売買注文入力装置１０及び売買注文処理装置２０が行う処理動作の第３の例を説明するための図であり、図１０（Ａ）は注文入力画面を表示させるための所定の入力を説明する図、図１０（Ｂ）は注文入力画面を説明する図。
【図１１】有価証券の売買注文を発注する際に売買注文入力装置１０及び売買注文処理装置２０が行う処理動作の第４の例を説明するための図であり、図１１（Ａ）は注文入力画面を表示させるための所定の入力を説明する図、図１１（Ｂ）は注文入力画面を説明する図。
【符号の説明】
【００４５】
１０・・・売買注文入力装置、１２・・・キーボード、１４・・・ポインティングデバイス、１６・・・ディスプレイ、２０・・・売買注文処理装置、２２・・・サーバ、３０・・・売買システム、１００・・・オペレーティングシステム、１０２・・・ブラウザ領域情報保持部、１１２・・・キーボードドライバ、１１４・・・ポインティングデバイスドライバ、１１６・・・ディスプレイドライバ、２００・・・売買注文処理部、２１０・・・入力画面データ保持部、２１１・・・コード入力欄、２１２・・・売買区分入力欄、２１３・・・注文数量入力欄、２１４・・・注文単価入力欄、２１５・・・有効期限入力欄、２１６・・・注文確認ボタン、２２０・・・入力パターン保持部、２３０・・・発注前データ保持部、２４０・・・処理部、３００・・・ブラウザ、３００ａ・・・アドレス入力欄
【図１】
2009026253.tif 000003
【図２】
2009026253.tif 000004
【図３】
2009026253.tif 000005
【図４】
2009026253.tif 000006
【図５】
2009026253.tif 000007
【図６】
2009026253.tif 000008
【図７】
2009026253.tif 000009
【図８】
2009026253.tif 000010
【図９】
2009026253.tif 000011
【図１０】
2009026253.tif 000012
【図１１】
2009026253.tif 000013